(57)【要約】      （修正有）【課題】物品の真贋判定を適切に行うことができる、サーバ、真贋判定システム、及びデータ構造を得る。【解決手段】真贋判定システム１において、サーバ４は、取引対象の物品を表す物品情報を、複数の鑑定ユーザ端末５へ送信する。複数の鑑定ユーザ端末５の各々は、サーバから送信された物品情報を鑑定ユーザ表示部に表示させるように制御し、鑑定ユーザ表示部に表示された物品情報に対応する物品の鑑定結果を表す鑑定情報を取得する。そして、複数の鑑定ユーザ端末５の各々は、取得された鑑定情報をサーバ４へ送信する。そして、サーバ４は、複数の鑑定ユーザ端末５の各々から送信された鑑定情報を受信し、複数の鑑定情報に基づいて、物品の真贋を判定する。【選択図】図１
2020144941.tif 000002
【特許請求の範囲】
【請求項１】
サーバと複数の鑑定ユーザ端末とを備える真贋判定システムであって、
前記サーバは、
取引対象の物品を表す物品情報を、複数の前記鑑定ユーザ端末へ送信するサーバ通信部と、
前記物品情報に対応する前記物品の真贋を判定するサーバ制御部と、を備え、
複数の前記鑑定ユーザ端末の各々は、
前記サーバから送信された前記物品情報を受信する鑑定ユーザ通信部と、
前記鑑定ユーザ通信部によって受信された前記物品情報を表示部に表示させるように制御し、前記表示部に表示された前記物品情報に対応する前記物品の鑑定結果を表す鑑定情報を取得する鑑定ユーザ制御部と、を備え、
複数の前記鑑定ユーザ端末の各々の前記鑑定ユーザ通信部は、前記鑑定ユーザ制御部により取得された前記鑑定情報を前記サーバへ送信し、
前記サーバ通信部は、複数の前記鑑定ユーザ端末の各々から送信された前記鑑定情報を受信し、
前記サーバ制御部は、前記サーバ通信部によって受信された、複数の前記鑑定情報に基づいて、前記物品の真贋を判定する、
真贋判定システム。
【請求項２】
前記鑑定情報は、前記物品が真正品であるか否かを表す情報であり、
前記サーバ制御部は、前記物品情報から前記鑑定情報を出力するように予め学習された学習済みモデルによって生成された前記鑑定情報を含む、複数の前記鑑定情報の多数決に基づいて、前記物品の真贋を判定する、
請求項１に記載の真贋判定システム。
【請求項３】
前記鑑定情報は、前記物品が真正品であるか否かを表す情報であり、
前記サーバ制御部は、前記物品情報から前記鑑定情報を出力するように予め学習された学習済みモデルによって生成された前記鑑定情報を含む、複数の前記鑑定情報のうちの、前記物品が真正品であることを表す情報が所定割合以上である場合に、前記物品は真正品であると判定する、
請求項１に記載の真贋判定システム。
【請求項４】
前記物品情報は、前記物品が写った画像情報、前記物品が写った動画情報、前記物品の３次元モデルを表す３次元物品情報、前記物品を購入した際に得られる情報を表す購入実績情報の少なくとも１つの情報である、
請求項１〜請求項３の何れか１項に記載の真贋判定システム。
【請求項５】
出品ユーザ端末及び購入ユーザ端末を更に含み、
前記物品の取引履歴に関する情報を表す流通情報、前記出品ユーザ端末を操作する出品ユーザに関する情報を表す出品ユーザ情報、前記鑑定ユーザ端末を操作する鑑定ユーザに関する情報を表す鑑定ユーザ情報、及び前記購入ユーザ端末を操作する購入ユーザに関する情報を表す購入ユーザ情報の少なくとも１つを表す情報が、ブロックチェーンに格納され、
前記サーバ制御部は、前記流通情報、前記出品ユーザ情報、前記鑑定ユーザ情報、及び前記購入ユーザ情報の少なくとも１つの情報を前記ブロックチェーンから取得し、
複数の前記鑑定情報と、前記ブロックチェーンから取得された前記情報とに基づいて、前記物品の真贋を判定する、
請求項１〜請求項４の何れか１項に記載の真贋判定システム。
【請求項６】
前記サーバ制御部は、前記出品ユーザ情報、前記鑑定ユーザ情報、及び前記購入ユーザ情報の少なくとも１つから、前記出品ユーザ、前記鑑定ユーザ、及び前記購入ユーザの少なくとも１人のユーザに対するスコアを表すスコア情報を取得し、複数の前記鑑定情報と前記スコア情報とに基づいて、前記物品の真贋を判定する、
請求項５に記載の真贋判定システム。
【請求項７】
前記サーバ制御部は、複数の前記鑑定情報と、前記ユーザの前記スコア情報とに基づいて、複数の前記鑑定情報に対して前記スコア情報に応じた重み付けを行い、重み付けがされた複数の前記鑑定情報に基づいて、前記物品の真贋を判定する、
請求項６に記載の真贋判定システム。
【請求項８】
取引対象の物品の取引履歴に関する情報を表す流通情報、出品ユーザ端末を操作する出品ユーザに関する情報を表す出品ユーザ情報、鑑定ユーザ端末を操作する鑑定ユーザに関する情報を表す鑑定ユーザ情報、及び購入ユーザ端末を操作する購入ユーザに関する情報を表す購入ユーザ情報の少なくとも１つを表す情報が格納されたブロックの系列を表すブロックチェーンのデータ構造であって、
取引対象の前記物品の真贋の判定を行うサーバによって、複数の前記鑑定ユーザ端末の各々から送信された前記物品の鑑定結果を表す鑑定情報と、前記ブロックチェーンの前記ブロックに格納された情報とに基づき、前記物品の真贋を判定する際の処理に用いられる、
データ構造。
【請求項９】
複数の鑑定ユーザ端末の各々から送信された、取引対象の物品の鑑定結果を表す鑑定情報を受信するサーバ通信部と、
前記サーバ通信部によって受信された、複数の前記鑑定情報に基づいて、前記物品の真贋を判定するサーバ制御部と、
を備えるサーバ。
【請求項１０】
前記鑑定情報は、前記物品が真正品であるか否かを表す情報であり、
前記サーバ制御部は、複数の前記鑑定情報の多数決に基づいて、前記物品の真贋を判定する、
請求項９に記載のサーバ。
【請求項１１】
前記鑑定情報は、前記物品が真正品であるか否かを表す情報であり、
前記サーバ制御部は、複数の前記鑑定情報のうちの、前記物品が真正品であることを表す情報が所定割合以上である場合に、前記物品は真正品であると判定する、
請求項９に記載のサーバ。
【発明の詳細な説明】
【技術分野】
【０００１】
本発明は、サーバ、真贋判定システム、及びデータ構造に関する。
【背景技術】
【０００２】
従来、物品の真贋判定及び価値評価を行う物品判定システムが知られている（例えば、特許文献１）。この物品判定システムは、物品、物品のグループ、物品のブランド、物品のカテゴリの少なくとも１つを含む物品の種類を特定し、その物品の特徴情報を取得する。そして、物品判定システムは、正規品の特徴情報、偽造品の特徴情報、状態ごとの価値情報、相場情報等に基づいて、物品の真贋判定及び価値評価を行う。
【０００３】
また、オークション価格を決定するオークション価格決定方法が知られている（例えば、特許文献２）。このオークション価格決定方法は、出品候補物件を登録する一般会員と、出品候補物件の正当な相場価格を評価する専門家会員とを有するインターネットオークションシステムによって実現される。
【０００４】
また、通信ネットワークを利用した会員参加型ポイント譲渡システムが知られている（例えば、特許文献３）。この会員参加型ポイント譲渡システムは、作品出品側会員の通信端末及び評価側会員の通信端末から通信ネットワークを介して会員登録し、前記作品出品側会員が自己の作品を出品し、この出品された作品を前記評価側会員が良質なものと評価した場合自己が有するポイントから任意のポイントを前記作品出品側会員へ譲渡する。
【０００５】
また、電子商取引における電子チケットの販売方法を適用した電子チケットシステムが知られている（例えば、特許文献４）。この電子チケットシステムは、インターネットを介して提供するコンテンツやサービスの料金を、電子有価証券で支払い、電子有価証券の料金は携帯電話の料金と一緒に徴収する。また、電子チケットサーバは、依頼された電子チケットの正当性を検定し、結果を販売者コンピュータに通知する。電子有価証券の真贋判定に、販売物である有価証券である電子チケットのコードに対応する販売履歴情報を利用して判定する。
【先行技術文献】
【特許文献】
【０００６】
【特許文献１】特再公表2009-44826号公報
【特許文献２】特開2004-199396号公報
【特許文献３】特開2002-109430号公報
【特許文献４】特開2005-44325号公報
【発明の概要】
【発明が解決しようとする課題】
【０００７】
上記特許文献１〜４では、何らかの対象が評価される。何らかの対象を評価する際には、複数のユーザによって評価が行われた方が好ましい場合がある。
【０００８】
例えば、不特定多数のユーザ間において物品を取引するコミュニティが形成されている場合、特定の管理者のみによって物品の真贋判定に関する鑑定が行われると、その鑑定はどのように行われているのかが不透明なものとなる。
【０００９】
また、その管理者による鑑定が適切でない場合には、取引対象の物品の真贋が疑わしくなり、物品の取引を円滑に行うことが出来なくなる、という課題がある。
【００１０】
本発明は、上記の事情を鑑みてなされたもので、物品の真贋判定を適切に行うことができるサーバ、真贋判定システム、及びデータ構造を提供することを目的とする。
【課題を解決するための手段】
【００１１】
上記の目的を達成するために本発明に係る真贋判定システムはサーバと複数の鑑定ユーザ端末とを備える真贋判定システムであって、前記サーバは、取引対象の物品を表す物品情報を、複数の前記鑑定ユーザ端末へ送信するサーバ通信部と、前記物品情報に対応する前記物品の真贋を判定するサーバ制御部と、を備え、複数の前記鑑定ユーザ端末の各々は、前記サーバから送信された前記物品情報を受信する鑑定ユーザ通信部と、前記鑑定ユーザ通信部によって受信された前記物品情報を表示部に表示させるように制御し、前記表示部に表示された前記物品情報に対応する前記物品の鑑定結果を表す鑑定情報を取得する鑑定ユーザ制御部と、を備え、複数の前記鑑定ユーザ端末の各々の前記鑑定ユーザ通信部は、前記鑑定ユーザ制御部により取得された前記鑑定情報を前記サーバへ送信し、前記サーバ通信部は、複数の前記鑑定ユーザ端末の各々から送信された前記鑑定情報を受信し、前記サーバ制御部は、前記サーバ通信部によって受信された、複数の前記鑑定情報に基づいて、前記物品の真贋を判定する、真贋判定システムである。
【００１２】
前記物品情報は、前記物品が写った画像情報、前記物品が写った動画情報、前記物品の３次元モデルを表す３次元物品情報、前記物品を購入した際に得られる情報を表す購入実績情報の少なくとも１つの情報であるようにすることができる。
【００１３】
本発明に係る真贋判定システムは、出品ユーザ端末及び購入ユーザ端末を更に含み、前記物品の取引履歴に関する情報を表す流通情報、前記出品ユーザ端末を操作する出品ユーザに関する情報を表す出品ユーザ情報、前記鑑定ユーザ端末を操作する鑑定ユーザに関する情報を表す鑑定ユーザ情報、及び前記購入ユーザ端末を操作する購入ユーザに関する情報を表す購入ユーザ情報の少なくとも１つを表す情報が、ブロックチェーンに格納され、前記サーバ制御部は、前記流通情報、前記出品ユーザ情報、前記鑑定ユーザ情報、及び前記購入ユーザ情報の少なくとも１つの情報を前記ブロックチェーンから取得し、複数の前記鑑定情報と、前記ブロックチェーンから取得された前記情報とに基づいて、前記物品の真贋を判定するようにすることができる。
【００１４】
本発明に係る真贋判定システムの前記サーバ制御部は、前記出品ユーザ情報、前記鑑定ユーザ情報、及び前記購入ユーザ情報の少なくとも１つから、前記出品ユーザ、前記鑑定ユーザ、及び前記購入ユーザの少なくとも１人のユーザに対するスコアを表すスコア情報を取得し、複数の前記鑑定情報と前記スコア情報とに基づいて、前記物品の真贋を判定するようにすることができる。
【００１５】
本発明に係る真贋判定システムの前記サーバ制御部は、複数の前記鑑定情報と、前記ユーザの前記スコア情報とに基づいて、複数の前記鑑定情報に対して前記スコア情報に応じた重み付けを行い、重み付けがされた複数の前記鑑定情報に基づいて、前記物品の真贋を判定するようにすることができる。
【００１６】
また、本発明のデータ構造は、取引対象の物品の取引履歴に関する情報を表す流通情報、出品ユーザ端末を操作する出品ユーザに関する情報を表す出品ユーザ情報、鑑定ユーザ端末を操作する鑑定ユーザに関する情報を表す鑑定ユーザ情報、及び購入ユーザ端末を操作する購入ユーザに関する情報を表す購入ユーザ情報の少なくとも１つを表す情報が格納されたブロックの系列を表すブロックチェーンのデータ構造であって、取引対象の前記物品の真贋の判定を行うサーバによって、複数の前記鑑定ユーザ端末の各々から送信された前記物品の鑑定結果を表す鑑定情報と、前記ブロックチェーンの前記ブロックに格納された情報とに基づき、前記物品の真贋を判定する際の処理に用いられる、データ構造である。
【００１７】
本発明に係るサーバは、複数の鑑定ユーザ端末の各々から送信された、取引対象の物品の鑑定結果を表す鑑定情報を受信するサーバ通信部と、前記サーバ通信部によって受信された、複数の前記鑑定情報に基づいて、前記物品の真贋を判定するサーバ制御部と、を備える。
【００１８】
前記鑑定情報は、前記物品が真正品であるか否かを表す情報であり、前記サーバ制御部は、複数の前記鑑定情報の多数決に基づいて、前記物品の真贋を判定するようにすることができる。
【発明の効果】
【００１９】
本発明によれば、物品の真贋判定を適切に行うことができる、という効果が得られる。
【図面の簡単な説明】
【００２０】
【図１】本実施形態の真贋判定システムの概略構成の一例を示す図である。
【図２】本実施形態の真贋判定システムに参加するユーザ端末に表示される画面の一例を示す図である。
【図３】本実施形態の真贋判定システムの詳細な構成例を示す図である。
【図４】本実施形態のブロックチェーンを説明するための説明図である。
【図５】真贋判定システムの各装置として機能するコンピュータの概略ブロック図である。
【図６】本実施形態の真贋判定システムによって実行される処理を説明するための説明図である。
【図７】出品ユーザ端末に表示される画面の一例を示す図である。
【図８】鑑定ユーザによる鑑定を説明するための説明図である。
【図９】鑑定ユーザ端末に表示される画面の一例を示す図である。
【発明を実施するための形態】
【００２１】
以下、図面を参照して実施形態を詳細に説明する。
【００２２】
＜真贋判定システムのシステム構成＞
【００２３】
図１は、本実施形態の真贋判定システム１を示すブロック図である。図１に示されるように、本実施形態の真贋判定システム１は、購入ユーザ端末２と、出品ユーザ端末３と、サーバ４と、複数の鑑定ユーザ端末５と、共用サーバ６とを備える。購入ユーザ端末２と、出品ユーザ端末３と、サーバ４と、複数の鑑定ユーザ端末５と、共用サーバ６とは、例えばインターネット等のネットワーク７によって接続されている。
【００２４】
本実施形態の真贋判定システム１においては、物品の一例であるスニーカーの取引が行われる。真贋判定システム１は、ユーザ間でスニーカーの取引が行われる際に、取引対象のスニーカーが真正品であるか否かを判定する。
【００２５】
具体的には、取引対象のスニーカーに関する情報が、真贋判定システム１に参加する各ユーザ端末（図示省略）へ表示される。各ユーザ端末の表示画面には、例えば、図２に示されるような画面が表示される。
【００２６】
ユーザ端末を操作するユーザが、ユーザ端末の表示画面に表示されたスニーカーを保持しており、そのスニーカーを出品する場合には、「ＳＥＬＬ」ボタンを押下する。なお、このときには、スニーカーの「売値」も併せて設定可能なようにしてもよい。「ＳＥＬＬ」ボタンが押下されたユーザ端末は、出品ユーザ端末３として設定される。
【００２７】
また、ユーザ端末を操作するユーザは、ユーザ端末に表示されたスニーカーを購入する場合には、「ＢＵＹ」ボタンを押下する。なお、このときには、スニーカーの「買値」も併せて設定可能なようにしてもよい。「ＢＵＹ」ボタンが押下されたユーザ端末は、購入ユーザ端末２として設定される。
【００２８】
出品ユーザ端末３を操作するユーザ（以下「出品ユーザ」と称する。）と、購入ユーザ端末２を操作するユーザ（以下「購入ユーザ」と称する。）との間で、スニーカーの取引が成立したとする。この場合、出品ユーザは、購入ユーザ又は真贋判定システム１を管理する管理者へ、取引対象のスニーカーを発送する。
【００２９】
しかし、この場合、取引対象のスニーカーが購入ユーザへ届く前に、当該スニーカーが真正品であるか否かを確認する必要がある。
【００３０】
そこで、本実施形態の真贋判定システム１は、出品ユーザによって出品されたスニーカーが購入ユーザへ届く前に、当該スニーカーが真正品であるか否かを確認する。本実施形態では、複数の鑑定ユーザ端末５によって、取引対象のスニーカーが真正品であるか否かが鑑定される。そして、真贋判定システム１のサーバ４は、複数の鑑定ユーザ端末５による鑑定結果を取得し、それらの鑑定結果に基づいて、取引対象のスニーカーの真贋を判定する。
【００３１】
以下、本実施形態について具体的に説明する。図３は、本実施形態の真贋判定システム１の詳細な構成例を示す図である。
【００３２】
［購入ユーザ端末］
【００３３】
購入ユーザ端末２は、取引対象のスニーカーを購入する予定のユーザである購入ユーザによって操作される。図３に示されるように、購入ユーザ端末２は、購入ユーザ操作部２０と、購入ユーザ処理部２２と、購入ユーザ表示部２４とを含む。購入ユーザ処理部２２は、購入ユーザ制御部２６と、購入ユーザ通信部２８とを含む。
【００３４】
購入ユーザ操作部２０は、購入ユーザからの操作情報を受け付ける。購入ユーザ操作部２０は、例えば、タッチパネル、マウス、及びキーボード等によって実現される。
【００３５】
購入ユーザ制御部２６は、購入ユーザ端末２を制御する。例えば、購入ユーザ制御部２６は、購入ユーザ操作部２０により受け付けた操作情報に基づいて、購入ユーザ端末２を制御する。
【００３６】
購入ユーザ通信部２８は、購入ユーザ制御部２６による制御に応じて、他の装置との通信処理を行う。購入ユーザ表示部２４は、購入ユーザ制御部２６の制御に応じて画面を表示する。
【００３７】
［出品ユーザ端末］
【００３８】
出品ユーザ端末３は、取引対象のスニーカーを出品する予定のユーザである出品ユーザによって操作される。図３に示されるように、出品ユーザ端末３は、出品ユーザ操作部３０と、出品ユーザ処理部３２と、出品ユーザ表示部３４とを含む。出品ユーザ処理部３２は、出品ユーザ制御部３６と、出品ユーザ通信部３８とを含む。
【００３９】
出品ユーザ操作部３０は、出品ユーザからの操作情報を受け付ける。出品ユーザ操作部３０は、例えば、タッチパネル、マウス、及びキーボード等によって実現される。
【００４０】
出品ユーザ制御部３６は、出品ユーザ端末３を制御する。例えば、出品ユーザ制御部３６は、出品ユーザ操作部３０により受け付けた操作情報に基づいて、出品ユーザ端末３を制御する。
【００４１】
出品ユーザ通信部３８は、出品ユーザ制御部３６による制御に応じて、他の装置との通信処理を行う。出品ユーザ表示部３４は、出品ユーザ制御部３６の制御に応じて画面を表示する。
【００４２】
［鑑定ユーザ端末］
【００４３】
鑑定ユーザ端末５は、取引対象のスニーカーを鑑定するユーザである鑑定ユーザによって操作される。図３に示されるように、鑑定ユーザ端末５は、鑑定ユーザ操作部５０と、鑑定ユーザ処理部５２と、鑑定ユーザ表示部５４とを含む。鑑定ユーザ処理部５２は、鑑定ユーザ制御部５６と、鑑定ユーザ通信部５８とを含む。
【００４４】
鑑定ユーザ操作部５０は、鑑定ユーザからの操作情報を受け付ける。鑑定ユーザ操作部５０は、例えば、タッチパネル、マウス、及びキーボード等によって実現される。
【００４５】
鑑定ユーザ制御部５６は、鑑定ユーザ端末５を制御する。例えば、鑑定ユーザ制御部５６は、鑑定ユーザ操作部５０により受け付けた操作情報に基づいて、鑑定ユーザ端末５を制御する。
【００４６】
鑑定ユーザ通信部５８は、鑑定ユーザ制御部５６による制御に応じて、他の装置との通信処理を行う。鑑定ユーザ表示部５４は、鑑定ユーザ制御部５６の制御に応じて画面を表示する。
【００４７】
［サーバ］
【００４８】
図３に示されるように、サーバ４は、サーバ制御部４０と、サーバ通信部４２と、物品情報記憶部４４と、真正物品情報記憶部４６とを備えている。
【００４９】
サーバ制御部４０は、サーバ４を制御する。また、サーバ通信部４２は、サーバ制御部４０による制御に応じて、他の装置との通信処理を行う。
【００５０】
物品情報記憶部４４には、取引対象のスニーカーに関する情報である物品情報が格納される。また、真正物品情報記憶部４６には、複数の取引対象のスニーカーの各々について、当該スニーカーの真正品に関する情報である真正物品情報が格納される。物品情報と真正物品情報については後述する。
【００５１】
［共用サーバ］
【００５２】
図３に示されるように、共用サーバ６は、共用サーバ制御部６０と、共用サーバ通信部６２と、ブロックチェーン情報記憶部６４とを備えている。
【００５３】
共用サーバ制御部６０は、共用サーバ６を制御する。共用サーバ通信部６２は、共用サーバ制御部６０による制御に応じて、他の装置との通信処理を行う。
【００５４】
ブロックチェーン情報記憶部６４には、ブロックチェーン（例えば、参考文献（Satoshi Nakamoto,"Bitcoin: A Peer-to-Peer Electronic Cash System"）を参照）が格納されている。本実施形態のブロックチェーンの各ブロックには、出品ユーザに関する情報を表す出品ユーザ情報、鑑定ユーザに関する情報を表す鑑定ユーザ情報、及び購入ユーザに関する情報を表す購入ユーザ情報、及び取引対象のスニーカーの取引履歴に関する情報を表す流通情報が格納されている。これらの情報が格納されたブロックの系列が、本実施形態のブロックチェーンである。真贋判定システム１を利用する各ユーザは、ブロックチェーンに格納された情報を閲覧することができる。
【００５５】
図４に、本実施形態のブロックチェーンを説明するための説明図を示す。図４に示されるように、ブロックチェーンには、タイムスタンプ、前のブロックのハッシュ値、及びトランザクション情報が格納される。なお、トランザクション情報には、出品ユーザ情報、鑑定ユーザ情報、購入ユーザ情報、及び流通情報が格納される。
【００５６】
図４に示されるように、出品ユーザ情報、鑑定ユーザ情報、及び購入ユーザ情報には、当該ユーザが操作する端末を識別するための端末ＩＤ、当該ユーザのスコア情報、及び当該ユーザの履歴情報が含まれている。
【００５７】
ユーザのスコア情報は、ユーザに関するスコアを表す情報であり、真贋判定システム１上でのユーザの行動に応じて算出される。例えば、スコア情報は、ユーザの信用度を表す情報として用いられる。
【００５８】
例えば、出品ユーザのスコア情報は、スニーカーの出品の実績に関する情報（例えば、出品した回数等）、真正品であるスニーカーを出品した割合に関する情報、真正品であるスニーカーを出品した回数に関する情報、スニーカーを販売した額の総額に関する情報、及びスニーカーの出荷を遅滞なく行ったか否かに関する情報等に基づき算出される。
【００５９】
また、例えば、鑑定ユーザのスコア情報は、スニーカーの鑑定の実績に関する情報、鑑定の正解率に関する情報、他の鑑定ユーザと同様の鑑定結果を下した割合に関する情報、及び鑑定を行った回数に関する情報等に基づき算出される。
【００６０】
また、例えば、購入ユーザのスコア情報は、スニーカーを落札して購入した実績に関する情報、落札した回数に関する情報、落札した額の総額に関する情報、落札した額の平均額に関する情報、落札に対して入金を問題なく行ったか否かに関する情報等に基づき算出される。
【００６１】
また、例えば、ユーザの履歴情報には、真贋判定システム１が提供するスニーカーの取引サービスにログインした回数に関する情報、スニーカーの取引サービスに滞在した時間に関する情報、及びスニーカーの取引サービスに参加した時期に関する情報等が含まれている。
【００６２】
また、図４に示されるように、流通情報には、スニーカーの商品としての情報を表す商品情報（例えば、スニーカーの種類を表すモデル名及びスニーカーの商品としての金額等）と、スニーカーの真贋に関する過去の鑑定結果を表す鑑定履歴情報とが含まれている。
【００６３】
また、図４に示されるように、流通情報には、スニーカーの取引を行ったユーザを表す取引者情報が含まれている。取引者情報には、取引されたスニーカーが、いつ、どのユーザ（ユーザに関する情報及び当該ユーザの住所情報等）から、どのユーザ（ユーザに関する情報及び当該ユーザの住所情報等）へ取引されたかに関する情報が記録されている。
【００６４】
本実施形態では、出品ユーザ情報、鑑定ユーザ情報、購入ユーザ情報、及び流通情報と、複数の鑑定ユーザによるスニーカーの鑑定情報とに基づいて、取引対象のスニーカーの真贋を判定する。出品ユーザ情報、鑑定ユーザ情報、購入ユーザ情報、及び流通情報の利用方法の詳細については、後述する。
【００６５】
真贋判定システム１の購入ユーザ端末２、出品ユーザ端末３、鑑定ユーザ端末５、サーバ４、及び共用サーバ６は、例えば、図５に示すコンピュータ７０で実現することができる。コンピュータ７０はＣＰＵ７１、一時記憶領域としてのメモリ７２、及び不揮発性の記憶部７３を備える。また、コンピュータ７０は、入出力装置等（図示省略）が接続される入出力interface（Ｉ／Ｆ）７４、及び記録媒体に対するデータの読み込み及び書き込みを制御するread/write（Ｒ／Ｗ）部７５を備える。また、コンピュータ７０は、インターネット等のネットワークに接続されるネットワークＩ／Ｆ７６を備える。ＣＰＵ７１、メモリ７２、記憶部７３、入出力Ｉ／Ｆ７４、Ｒ／Ｗ部７５、及びネットワークＩ／Ｆ７６は、バス７７を介して互いに接続される。
【００６６】
記憶部７３は、Hard Disk Drive（ＨＤＤ）、solid state drive（ＳＳＤ）、フラッシュメモリ等によって実現できる。記憶媒体としての記憶部７３には、コンピュータ７０を機能させるためのプログラムが記憶されている。ＣＰＵ７１は、プログラムを記憶部７３から読み出してメモリ７２に展開し、プログラムが有するプロセスを順次実行する。
【００６７】
＜真贋判定システム１の作用＞
【００６８】
次に、本実施の形態の真贋判定システム１の作用について説明する。取引対象のスニーカーに関する情報が、真贋判定システム１に参加する各ユーザ端末（図示省略）へ表示され、あるユーザ端末が出品ユーザ端末３となり、あるユーザ端末が購入ユーザ端末２となる。
【００６９】
そして、出品ユーザは出品ユーザ端末３を操作して、出品ユーザ端末３が備えるカメラ（図示省略）を動作させ、スニーカーが写った画像情報、スニーカーが写った動画情報、スニーカーの３次元モデルを表す３次元物品情報、スニーカーを購入した際に得られる情報を表す購入実績情報を取得する。なお、画像情報及び動画情報には、スニーカーが梱包されていた箱の画像情報及び動画情報が更に含まれていても良い。
【００７０】
なお、スニーカーの３次元モデルを表す３次元物品情報は、周知の技術によって生成される（例えば、"3D Scanner Pro", [平成30年9月25日検索], インターネット<URL:https://shiropen.com/seamless/3d-scanner-pro>を参照）。例えば、スニーカーが写った画像情報に基づき、スニーカーの３次元モデルを表す３次元物品情報が生成される。
【００７１】
また、スニーカーを購入した際に得られる情報を表す購入実績情報には、スニーカーを購入した際の証拠書類（例えば、レシート、領収書、及び納品書等）に関する情報、スニーカーを購入した際の金額に関する情報、スニーカーを購入した店舗に関する情報、スニーカーに関する付帯情報（例えば、タグの有無、スニーカーが梱包されていた箱の有無、及びスニーカーの重さ等）等が含まれる。
【００７２】
なお、出品ユーザが、Webサービスを介してスニーカーを購入した場合には、スニーカーを購入したWeb又はアプリに関する情報が、スニーカーを購入した店舗に関する情報となる。
【００７３】
そして、真贋判定システム１の購入ユーザ端末２、出品ユーザ端末３、鑑定ユーザ端末５、サーバ４、及び共用サーバ６は、図６に示す処理に対応する各プログラムを実行する。図６を参照して、複数の鑑定ユーザ端末５による鑑定処理について説明する。
【００７４】
ステップＳ１００において、出品ユーザ端末３の出品ユーザ制御部３６は、出品ユーザ操作部３０により受け付けた操作情報に基づいて、取引対象のスニーカーの物品情報（スニーカーが写った画像情報、スニーカーが写った動画情報、スニーカーの３次元物品情報、及びスニーカーの購入実績情報等）をサーバ４へ送信するように、出品ユーザ通信部３８を制御する。ステップＳ１００において、出品ユーザ通信部３８は、取引対象のスニーカーの物品情報をサーバ４へ送信する。
【００７５】
ステップＳ１０２において、サーバ４のサーバ通信部４２は、上記ステップＳ１００で出品ユーザ端末３から送信された、取引対象のスニーカーの物品情報を受信する。そして、サーバ４のサーバ制御部４０は、サーバ通信部４２により取得された物品情報を、物品情報記憶部４４に一旦格納する。
【００７６】
ステップＳ１０４において、サーバ４のサーバ制御部４０は、上記ステップＳ１０２で物品情報記憶部４４に格納された鑑定対象の物品情報に対応する真正物品情報を、真正物品情報記憶部４６から読み出す。鑑定対象の物品情報が表すスニーカーと真正物品情報が表すスニーカーとは同一種類のスニーカーである。真正物品情報は、物品情報と同種類の情報によって構成されており、真正品のスニーカーが写った画像情報、真正品のスニーカーが写った動画情報、真正品のスニーカーの３次元モデルを表す３次元物品情報、及び真正品のスニーカーを購入した際の購入実績情報が含まれている。そして、サーバ４のサーバ制御部４０は、鑑定対象の物品情報と真正物品情報とを、複数の鑑定ユーザ端末５の各々へ送信する。
【００７７】
ステップＳ１０６において、サーバ４のサーバ制御部４０は、取引対象のスニーカーが鑑定中であることを示す鑑定中情報を、出品ユーザ端末３へ送信するように、サーバ通信部４２を制御する。サーバ通信部４２は、鑑定中情報を出品ユーザ端末３へ送信する。
【００７８】
ステップＳ１０８において、出品ユーザ端末３の出品ユーザ通信部３８は、上記ステップＳ１０６でサーバ４から送信された鑑定中情報を受信する。そして、出品ユーザ端末３の出品ユーザ制御部３６は、鑑定中情報を出品ユーザ表示部３４に表示するように制御する。
【００７９】
ステップＳ１０８では、例えば、図７に示されるような鑑定中情報Ｓ１が出品ユーザ表示部３４に表示される。
【００８０】
次に、複数の鑑定ユーザ端末５の各々において、ステップＳ１１０〜ステップＳ１１４の処理が実行される。
【００８１】
ステップＳ１１０において、鑑定ユーザ端末５の鑑定ユーザ通信部５８は、上記ステップＳ１０４でサーバ４から送信された、取引対象のスニーカーの物品情報及び真正物品情報を受信する。そして、鑑定ユーザ端末５の鑑定ユーザ制御部５６は、取引対象のスニーカーの物品情報及び真正物品情報を鑑定ユーザ表示部５４に表示するように制御する。
【００８２】
本実施形態においては、複数の鑑定ユーザによって取引対象のスニーカーの鑑定が行われる。例えば、図８に示されるように、鑑定ユーザＵ１，Ｕ２の各々の鑑定ユーザ端末５の鑑定ユーザ表示部５４には、取引対象のスニーカーの物品情報Ｂ及び真正物品情報（図示省略）が表示される。これら複数の鑑定ユーザの鑑定により、取引対象のスニーカーについて誰が鑑定を行ったのかが明らかになるため、鑑定の透明性が確保される。これにより、スニーカーの鑑定が適切に行われる。
【００８３】
また、複数の鑑定ユーザの鑑定により、サーバ４を管理する管理者の負担が軽減される。更に、後述するブロックチェーンには、出品ユーザ、鑑定ユーザ、及び購入ユーザのスコア情報が格納されるため、それらのスコア情報に基づき鑑定結果を重み付けすることにより、より適切な鑑定結果を得ることができる。
【００８４】
ステップＳ１１０では、例えば、図９に示されるような物品情報Ｂが出品ユーザ表示部３４に表示される。
【００８５】
図９に示されるように、複数の鑑定ユーザ端末５の鑑定ユーザ表示部５４に、取引対象のスニーカーに対する鑑定を行うか否かに関する画面Ｋ１が表示される。鑑定ユーザが画面Ｋ１の「鑑定する」のボタンを押下すると、取引対象のスニーカーの物品情報Ｂが出品ユーザ表示部３４の画面に表示される。鑑定ユーザは、鑑定ユーザ表示部５４に表示された取引対象のスニーカーの物品情報Ｂと、取引対象のスニーカーの真正物品情報（図示省略）とに基づき、当該スニーカーが真正品であるか否かを鑑定する。なお、物品情報Ｂ１，Ｂ２はスニーカーの画像情報の一例であり、物品情報Ｂ３はスニーカーの購入実績情報の一例である。
【００８６】
そして、鑑定ユーザ表示部５４に図９の画面Ｋ２が表示されると、鑑定ユーザは、最終的な判断に基づき、図９の画面Ｋ２の「本物」又は「偽物」のボタンを押下する。これにより、鑑定ユーザ表示部５４に表示された物品情報に対応するスニーカーの鑑定結果を表す鑑定情報が鑑定ユーザ端末５へ入力される。
【００８７】
鑑定ユーザにより、取引対象のスニーカーが「本物」であるのか又は「偽物」であるのかを表す鑑定情報が鑑定ユーザ端末５の鑑定ユーザ操作部５０へ入力されると、ステップＳ１１２において、鑑定ユーザ端末５の鑑定ユーザ制御部５６は、その鑑定情報を取得する。
【００８８】
ステップＳ１１４において、鑑定ユーザ端末５の鑑定ユーザ制御部５６は、上記ステップＳ１１２で取得された鑑定情報をサーバ４へ送信する。
【００８９】
ステップＳ１１５において、サーバ４のサーバ通信部４２は、上記ステップＳ１１４で複数の鑑定ユーザ端末５から送信された鑑定情報を受信する。そして、サーバ４のサーバ制御部４０は、サーバ通信部４２により取得された複数の鑑定情報を取得する。
【００９０】
ステップＳ１１６において、サーバ４のサーバ制御部４０は、取引対象のスニーカーについて最終の審査中であることを表す審査中情報を生成し、当該審査中情報を出品ユーザ端末３へ送信するようにサーバ通信部４２を制御する。サーバ通信部４２は、サーバ制御部４０による制御に応じて、審査中情報を出品ユーザ端末３へ送信する。
【００９１】
ステップＳ１１８において、出品ユーザ端末３の出品ユーザ通信部３８は、上記ステップＳ１１６でサーバ４から送信された審査中情報を受信する。そして、出品ユーザ端末３の出品ユーザ制御部３６は、審査中情報を出品ユーザ表示部３４へ表示するように制御する。ステップＳ１１８では、例えば、図７に示されるような審査中情報Ｓ２が出品ユーザ表示部３４に表示される。
【００９２】
ステップＳ１２０において、サーバ４のサーバ制御部４０は、サーバ通信部４２を制御し、共用サーバ６のブロックチェーン情報記憶部６４から、各ブロックに格納された、タイムスタンプ、ハッシュ値、及びトランザクション情報を含むブロックチェーン情報を取得する。
【００９３】
上記図４に示されるように、ブロックチェーン情報のうちのトランザクション情報には、これまでの取引における、出品ユーザ情報、購入ユーザ情報、鑑定ユーザ情報、及び流通情報が格納されている。そのため、サーバ４のサーバ制御部４０は、これらの出品ユーザ情報、購入ユーザ情報、鑑定ユーザ情報、及び流通情報と、上記ステップＳ１１５で取得された複数の鑑定情報とに基づいて、取引対象のスニーカーの真贋を判定する。
【００９４】
ステップＳ１２２において、サーバ４のサーバ制御部４０は、上記ステップＳ１１５で取得された複数の鑑定情報と、上記ステップＳ１２０で取得されたブロックチェーン情報のうちのトランザクション情報とに基づいて、取引対象のスニーカーの真贋を判定する。
【００９５】
例えば、サーバ４のサーバ制御部４０は、上記ステップＳ１１５で取得された複数の鑑定情報と、上記ステップＳ１２０で取得された出品ユーザ情報、鑑定ユーザ情報、及び購入ユーザ情報のうちのスコア情報とに基づいて、複数の鑑定情報に対してスコア情報に応じた重み付けを行う。そして、サーバ４のサーバ制御部４０は、重み付けがされた複数の鑑定情報に基づいて、スニーカーの真贋を判定する。
【００９６】
例えば、サーバ４のサーバ制御部４０は、ブロックチェーン情報から、複数の鑑定ユーザのスコア情報を取得する。鑑定ユーザのスコア情報は、例えば、前回までの鑑定の正解率に関する情報等が反映されている。そのため、サーバ４のサーバ制御部４０は、複数の鑑定ユーザによる鑑定情報に対して、複数の鑑定ユーザのスコア情報に応じた重み付けを行い、重み付けがされた複数の鑑定情報に基づいて、スニーカーの真贋を判定する。
【００９７】
具体的には、サーバ制御部４０は、鑑定ユーザの鑑定情報を表す１票に対し、鑑定ユーザのスコア情報に応じて重み付けを行う。例えば、ある鑑定ユーザのスコア情報が「０．５」であれば、その鑑定ユーザの１票に対して「０．５」を乗算し、０．５票としてカウントする。そして、サーバ制御部４０は、重み付けがなされた複数の鑑定ユーザの鑑定情報に基づき、スニーカーの真贋を判定する。例えば、サーバ制御部４０は、重み付けがなされた投票結果が、本物「５５．５」であり、偽物「１０．５」である場合には、当該スニーカーは本物であると判定する。
【００９８】
また、例えば、サーバ４のサーバ制御部４０は、ブロックチェーン情報から、出品ユーザのスコア情報を取得する。出品ユーザのスコア情報は、例えば、真正品であるスニーカーを出品した割合に関する情報及び真正品であるスニーカーを出品した回数に関する情報等が反映されている。そのため、サーバ４のサーバ制御部４０は、複数の鑑定情報に対して、出品ユーザのスコアに応じた重み付けを行い、重み付けがされた鑑定情報に基づいて、スニーカーの真贋を判定する。例えば、今回の出品ユーザは、前回までの出品において、真正品であるスニーカーを出品した割合が低くスコアが低い場合には、最終的な鑑定結果が「偽物」となる確率が高くなるように重み付けがなされる。
【００９９】
また、例えば、サーバ４のサーバ制御部４０は、ブロックチェーン情報から、購入ユーザのスコア情報を取得する。購入ユーザのスコア情報は、例えば、落札に対して入金を問題なく行ったか否かに関する情報等が反映されている。そのため、サーバ４のサーバ制御部４０は、複数の鑑定情報に対して、購入ユーザのスコア情報に応じた重み付けを行い、重み付けがされた鑑定情報に基づいて、スニーカーの真贋を判定する。例えば、今回の出品ユーザは、前回までの出品においては購入ユーザであり、落札に対する入金に問題がありスコア情報が低い場合には、最終的な鑑定結果が「偽物」となる確率が高くなるように重み付けがなされる。
【０１００】
ステップＳ１２４において、サーバ４のサーバ制御部４０は、上記ステップＳ１２２で得られたスニーカーの真贋の判定結果を出品ユーザ端末３へ送信するように、サーバ通信部４２を制御する。サーバ通信部４２は、取引対象のスニーカーの真贋の判定結果を出品ユーザ端末３へ送信する。
【０１０１】
ステップＳ１２６において、出品ユーザ端末３の出品ユーザ通信部３８は、上記ステップＳ１２４でサーバ４から送信された、取引対象のスニーカーの真贋に関する判定結果を受信する。そして、出品ユーザ端末３の出品ユーザ制御部３６は、判定結果を出品ユーザ表示部３４へ表示するように制御する。
【０１０２】
例えば、図７のＳ３及びＳ４に示されるように、取引対象のスニーカーの真贋に関する判定結果が出品ユーザ表示部３４に表示される。Ｓ３は、取引対象のスニーカーが本物であることが確認された場合の表示画面である。また、Ｓ４は、取引対象のスニーカーについて本物であることが確認できなかった場合の表示画面である。
【０１０３】
出品ユーザ表示部３４にＳ３の表示画面が表示された場合には、出品ユーザは「出金手続き」のボタンＴ１を押下するか又は「ポイントとして保持」のボタンＴ２を押下する。これにより、出品対象のスニーカーが購入ユーザに届いている場合には、取引対象のスニーカーの代金（又は代金に応じたポイント）が出品ユーザのアカウントに振り込まれる。
【０１０４】
一方、出品ユーザ表示部３４にＳ４の表示画面が表示された場合には、出品ユーザは「終了する」のボタンＴ３を押下するか又は「寄付する」のボタンＴ４を押下する。出品ユーザは、「寄付する」のボタンＴ４を押下した場合には、取引対象のスニーカーを真贋判定システム１の管理者に寄付することとなる。
【０１０５】
上記ステップＳ１００〜上記ステップＳ１２６までの処理が終了すると、１つのトランザクションが完了したことになる。このため、ステップＳ１２８において、サーバ４のサーバ制御部４０は、サーバ通信部４２を介して、共用サーバ６のブロックチェーン情報記憶部６４に格納されたブロックチェーンに新たなブロックを追加する。
【０１０６】
サーバ４のサーバ制御部４０は、今回のスニーカーの取引における、出品ユーザ情報、購入ユーザ情報、鑑定ユーザ情報、及び流通情報を、新たなブロックのトランザクション情報として、ブロックチェーンに新たなブロックを追加する。また、サーバ４のサーバ制御部４０は、前のブロックから生成されるハッシュ値とタイムスタンプとを、新たなブロックへ格納する。
【０１０７】
ステップＳ１３０において、共用サーバ６の共用サーバ通信部６２は、サーバ４のサーバ通信部４２との通信処理を介して、新たなブロックに関する情報を受信する。そして、共用サーバ６の共用サーバ制御部６０は、新たなブロックに関する情報に応じて、ブロックチェーン情報記憶部６４に格納されたブロックチェーンに新たなブロックを追加する。
【０１０８】
このように、スニーカーの取引における、出品ユーザ情報、購入ユーザ情報、鑑定ユーザ情報、及び流通情報がブロックチェーンに格納されることにより、これらの情報の改竄が実質的に不可能となる。このため、ブロックチェーンに格納された情報の信頼性が高まり、それらの情報を用いてスニーカーの取引が円滑に行われる。
【０１０９】
なお、共用サーバ６のブロックチェーン情報記憶部６４に格納されたブロックチェーンは、サーバ４とは異なる端末からも閲覧可能となっている。例えば、共用サーバ６のブロックチェーン情報記憶部６４に格納されたブロックチェーンは、購入ユーザ端末２、出品ユーザ端末３、及び鑑定ユーザ端末５の何れの端末からも閲覧可能である。このため、スニーカーの取引が行われるコミュニティにおいて、各ユーザのスコア情報の閲覧が可能となり、例えば、各ユーザがどの程度信頼できるかといった情報が可視化されるため、スニーカーの取引が円滑に行われる。
【０１１０】
また、各ユーザのスコア情報が公開されることにより、スニーカーの取引における各ユーザの行動が適正化される。例えば、出品ユーザが偽物のスニーカーを多く出品すると、当該ユーザのスコアは低下するため、偽物のスニーカーが出回るという事態の発生が抑制される。また、鑑定ユーザが鑑定を間違えると当該鑑定ユーザのスコアは低下するため、適切な鑑定が行われる。また、出品が遅れたり又は入金が遅れたりすることにより、ユーザのスコアは低下するため、ユーザ間のスニーカーの取引が円滑に行われるようになる。
【０１１１】
以上説明したように、本実施の形態に係る真贋判定システムのサーバは、取引対象のスニーカーを表す物品情報を、複数の鑑定ユーザ端末へ送信する。そして、複数の鑑定ユーザ端末の各々は、サーバから送信された物品情報を受信し、当該物品情報を鑑定ユーザ表示部に表示させるように制御し、当該物品情報に対応するスニーカーの鑑定結果を表す鑑定情報を取得する。そして、複数の鑑定ユーザ端末の各々は、取得された鑑定情報をサーバへ送信する。そして、サーバは、複数の鑑定ユーザ端末の各々から送信された鑑定情報
に基づいて、スニーカーの真贋を判定する。これにより、出品されたスニーカーの真贋判定を適切に行うことができる。
【０１１２】
なお、本発明は、上述した実施形態に限定されるものではなく、この発明の要旨を逸脱しない範囲内で様々な変形や応用が可能である。
【０１１３】
例えば、本実施形態では、物品の一例としてスニーカーが取引される場合を例に説明したがこれに限定されるものではなく、スニーカーとは異なる他の物品を対象としてもよい。
【０１１４】
また、本実施形態では、流通情報、出品ユーザ情報、鑑定ユーザ情報、及び購入ユーザ情報を用いた鑑定情報の重み付けの一例を説明したが、これに限定されるものではなく、これらの情報はどのように用いられても良い。
【０１１５】
また、本実施形態では、複数の鑑定ユーザによる鑑定情報とブロックチェーン情報とに基づいて、複数の鑑定ユーザによる鑑定情報を重み付けして、最終的な鑑定結果を取得する場合を例に説明したが、これに限定されるものではない。例えば、複数の鑑定ユーザによる鑑定情報の多数決によって、取引対象のスニーカーの真贋を判定するようにしてもよい。また、複数の鑑定ユーザによる鑑定情報の各々うちの、スニーカーが真正品であることを表す情報が所定割合以上（例えば、95％以上）である場合に、当該スニーカーには真正品であると判定するようにしてもよい。
【０１１６】
また、本実施形態で用いられるブロックチェーンには各種情報が含まれているが、これらの情報を利用して、スニーカーの取引が適切に行われるようにしてもよい。
【０１１７】
例えば、取引対象のスニーカーが偽物である場合（例えば、スニーカーが真正品であることを表す情報が95％未満である場合）には、ブロックチェーンの流通情報にその鑑定結果が書き込まれ、当該スニーカーの流通の禁止を表すラベルがブロックチェーンに格納されてもよい。これにより、偽物のスニーカーが流通しなくなり、スニーカーの取引がより適切に行われる。
【０１１８】
また、例えば、ブロックチェーンのうちの、各ユーザのスコア情報に基づいて、スコアが高いユーザを優遇し、スコアの低いユーザを冷遇するようにしてもよい。例えば、スコアが予め定められた閾値より低いユーザに関しては、真贋判定システム１が提供する取引サービスを利用できないように制限をかけるようにしてもよい。また、例えば、スコアに応じてユーザに対しポイントを付与するようにしてもよい。または、例えば、スコアが高いユーザに対しては、手数料の割引又は取引サービス上で展開される企画への応募が行えるようにしてもよい。これにより、各ユーザの行動が適正化される。
【０１１９】
また、例えば、取引対象のスニーカーには、スニーカーを識別するための識別素子であるRFID(Radio frequency identifier)が付与されており、そのRFIDからスニーカーを識別するための物品IDが読み取り可能なようにしてもよい。この場合には、所定の読取装置（図示省略）によって物品IDが読み取られ、取引対象のスニーカーの物品IDが、ブロックチェーンの流通情報に格納される。これにより、スニーカーとブロックチェーンに格納された流通情報とが紐付けられ、流通情報はスニーカーのデジタルアイデンティティとなる。
【０１２０】
また、これにより、ブロックチェーンの流通情報には、スニーカーの所有権と価値との間の交換に関する情報が格納され、かつ誰から誰へスニーカーが移転されたかに関する情報が格納される。これにより、スニーカーの出所が明確になり、スニーカーの取引が適切に行われる。
【０１２１】
また、本実施形態では、複数の鑑定ユーザによって鑑定が行われる場合を例に説明したが、これに限定されるものではなく、サーバ４を管理する管理者による鑑定も併せて考慮するようにしてもよい。また、取引対象のスニーカーの画像からそのスニーカーが真正品であるか否かを判定するための学習済みモデルを用いて鑑定情報を生成し、学習済みモデルによって生成された鑑定情報を併せて考慮するようにしてもよい。
【０１２２】
また、本実施形態では、出品ユーザが取引対象のスニーカーを撮像するなどして物品情報を生成する場合を例に説明したが、これに限定されるものではない。例えば、出品ユーザから、サーバ４を管理する管理者へスニーカーが送り届けられ、サーバ４を管理する管理者によって、取引対象のスニーカーの物品情報が生成されるようにしてもよい。そして、サーバ４は、取引対象のスニーカーを表す物品情報を、複数の鑑定ユーザ端末５へ送信するようにしてもよい。
【０１２３】
また、本実施形態では、共用サーバ６のブロックチェーン情報記憶部６４に、ブロックチェーンが格納される場合を例に説明したが、これに限定されるものではなく、ブロックチェーンはどこに格納されていてもよい。例えば、複数の鑑定ユーザ端末５の記憶部（図示省略）に分散型台帳として格納されていてもよい。また、例えば、共用サーバ６が複数存在し、各々のブロックチェーン情報記憶部６４に分散型台帳として記憶されていてもよい。なお、この場合には、ブロックチェーンに新たなブロックが追加される際にはマイニング処理が行われ、それに応じた報酬が共用サーバ又は鑑定ユーザ端末等へ付与されるようにしてもよい。マイニング方法としては、例えば、プルーフ・オブ・ワーク（PoW：Proof of Work）及びプルーフ・オブ・ステーク（PoS：Proof of Stake）等のコンセンサスアルゴリズムを採用したマイニング方法を用いることができる。また、マイニングの結果得られる報酬については、本実施形態の真贋判定システム１が提供するスニーカーの取引サービスで利用可能なポイントを報酬とすることができる。
【０１２４】
また、本願明細書中において、プログラムが予めインストールされている実施形態として説明したが、当該プログラムを、コンピュータ読み取り可能な記録媒体に格納して提供することも可能である。
【符号の説明】
【０１２５】
１ 真贋判定システム
２ 購入ユーザ端末
３ 出品ユーザ端末
４ サーバ
５ 鑑定ユーザ端末
６ 共用サーバ
７ ネットワーク
２０ 購入ユーザ操作部
２２ 購入ユーザ処理部
２４ 購入ユーザ表示部
２６ 購入ユーザ制御部
２８ 購入ユーザ通信部
３０ 出品ユーザ操作部
３２ 出品ユーザ処理部
３４ 出品ユーザ表示部
３６ 出品ユーザ制御部
３８ 出品ユーザ通信部
４０ サーバ制御部
４２ サーバ通信部
４４ 物品情報記憶部
４６ 真正物品情報記憶部
５０ 鑑定ユーザ操作部
５２ 鑑定ユーザ処理部
５４ 鑑定ユーザ表示部
５６ 鑑定ユーザ制御部
５８ 鑑定ユーザ通信部
６０ 共用サーバ制御部
６２ 共用サーバ通信部
６４ ブロックチェーン情報記憶部
７０ コンピュータ
７３ 記憶部
【図１】
2020144941.tif 000003
【図２】
2020144941.tif 000004
【図３】
2020144941.tif 000005
【図４】
2020144941.tif 000006
【図５】
2020144941.tif 000007
【図６】
2020144941.tif 000008
【図７】
2020144941.tif 000009
【図８】
2020144941.tif 000010
【図９】
2020144941.tif 000011